(57)【要約】【課題】  側辺に係止溝６１が形成される外壁板６０を安定してかつ有効容積を狭めることなく建物側壁面に留め付けることのできる留め付け金具１０、およびそれを用いた外壁施工構造を得る。【解決手段】  留め付け金具１０は、基板部１１と、基板部１１の上縁側とそこに続く中央領域を除いた領域をプレス加工により基板部と平行な面となるように前方側へ押し出して形成した上外壁板の裏面当接面として機能する押し出し面１２と、押し出し面１２の下端を水平方向に折り曲げて形成した受け部１３と、受け部１３の先端に上方および下方の折り曲げ加工して形成した外壁板６０の係止溝６１に係合する上係止片１４および下係止片１５（１５Ａ，１５Ｂ）とを有する。出隅部などにおいて、側縁に係止溝６１を有する出隅外壁板６００と外壁板６０とを、その係止溝６１に留め付け金具１０の上係止片１４および下係止片１５を係止させた状態で、建物側に留め付ける。【選択図】図４
2006307419.tif 000002
【特許請求の範囲】
【請求項１】
側縁に係止溝が形成される外壁板を建物側に留め付けるための留め付け金具であって、
該留め付け金具は、建物側への固定部である基板部と、基板部の上縁側とそこに続く中央領域を除いた領域をプレス加工により基板部と平行な面となるように前方側へ押し出して形成した上外壁板の裏面当接面として機能する押し出し面と、押し出し面の下端を水平方向に折り曲げて形成した受け部と、受け部の先端に上方および下方の折り曲げ加工して形成した外壁板の係止溝に係合する上係止片および下係止片と、押し出し面の一部を切り欠いて下方に折り曲げて形成した下外壁板の裏面当接板とを有しており、下外壁板の裏面当接板は上外壁板の裏面当接面である押し出し面と実質的に面一となるようにされており、さらに、基板部の押し出し面とされない領域にビス孔と補強リブが形成されていることを特徴とする留め付け金具。
【請求項２】
上係止片は受け部の左右両側に形成されており、下係止片は受け部の中央部に形成されていることを特徴とする請求項１に記載の留め付け金具。
【請求項３】
下係止片は中央部に切り込み部を有し、該切り込み部により左右に２分割されていることを特徴とする請求項２に記載の留め付け金具。
【請求項４】
下係止片は下端角部に裏面当接板に向けた折曲部を備えることを特徴とする請求項１〜３のいずれかに記載の留め付け金具。
【請求項５】
押し出し面の上外壁板の裏面当接面として機能する領域には前方に向けた切り起こし片が形成されていることを特徴とする請求項１〜４のいずれかに記載の留め付け金具。
【請求項６】
下外壁板係止部における下外壁板の裏面当接板には前方への膨出部が形成されていることを特徴とする請求項１〜５のいずれかに記載の留め付け金具。
【請求項７】
側縁に係止溝が形成される複数枚の外壁板が左右の側縁同士を突き付け接合して配置されており、上下に当接する外壁板同士は、建物側に固定された請求項１〜６のいずれかに記載の留め付け金具の上係止片と下係止片とがその上側縁と下側縁に形成された係止溝に係合することにより一体に留め付けられている留め付け構造を備えることを特徴とする外壁施工構造。
【請求項８】
左右の側縁同士を突き付け接合して配置されている外壁板の当該左右の側縁が、そこに形成された係止溝に、請求項７における留め付け構造とは９０度回転させた姿勢で建物側に固定された請求項１〜６のいずれかに記載の留め付け金具の上係止片と下係止片がそれぞれ係合することにより一体に留め付けられている留め付け構造をさらに備えることを特徴とする請求項７に記載の外壁施工構造。
【発明の詳細な説明】
【技術分野】
【０００１】
本発明は、建物の外壁面に外壁板を留め付けるための留め付け金具と、その留め付け金具を用いた外壁施工構造に関する。
【背景技術】
【０００２】
従来から、天然石板や窯業板などである長尺矩形状の外壁板を、建物の外壁面に留め付け金具を用いて留め付けることが行われている。近年、そのような外壁板に高い装飾性や外観意匠性が求められるようになっており、重厚感を出すために、厚みのある外壁板が装飾板材として用いられることが多くなっている。例えば、特許文献１には、図１２ａに正面図を，図１２ｂに背面図を、図１３に断面図を示すように、比較的小型で厚みが厚く（例えば、３５ｍｍ×２２０ｍｍ×４５５ｍｍ程度のもの）、かつ、天然石の石積み感を表出させるような造形性の高い外壁板６０が記載されている。外壁板６０は、側辺に留め付け金具の係止片が係止する係止溝６１を有するとともに、裏面側には、重量を低減するために凹陥部６２が形成されている。
【０００３】
建物側への外壁施工に当たっては、特許文献１に記載のように、外壁板６０の裏面に形成した凹陥部６２を利用して図示しない吊り下げ治具を用いて下地材に吊り下げ施工することもでき、図１４に示すような留め付け金具７０を用いて留め付け施工することもできる。留め付け金具７０を用いる場合には、図１５に外壁面施工構造を、図１６に留め付け部の斜視図を、図１７に留め付け部の側方断面図を、示すように、通常の場合、縦胴縁６５に釘固定された下地材６６に対して留め付け金具７０をビス６７で固定することにより行われる。すなわち、下側外壁板６０Ａの上辺部の略中央部の係止溝６１に、留め付け金具７０の中央部の２つの下板係止片７１，７１を係止し、該下板係止片７１，７１で下側外壁板６０Ａを少し押圧した状態として、留め付け金具７０をビス６７で下地材６６にビス固定する。次ぎに、固定された留め付け金具７０の両側の２つの上板係止片７２、７２に、上側に隣接配置する左右の外壁板６０Ｂ、６０Ｂの下端両端部の係止溝６１をそれぞれ係止させた状態として、突き付け施工する。このことを繰り返すことにより、多数枚の外壁板６０が建物側の壁面に横方向と上方向に留め付けられ、図１５に示すように、外壁板６０が千鳥状に留め付けられた外壁施工構造となる。
【０００４】
出隅部および入隅部でも、留め付け金具７０を用いて外壁板の留め付けが行われる。図１８は出隅部での留め付け状態を示しており、柱６８のコーナー部に打ち付けた縦胴縁６９，６９に直交するようにして下地材６６ａ、６６ｂが釘打ち固定され、そこに、図１２に示した外壁板６０と同じような構成を備え、かつ９０度に折り曲がった短辺側６０１と長辺側６０２とからなる出隅外壁板６００が、コーナー部に近接してビス固定される留め付け金具７０，７０により留め付けられる。出隅外壁板６００の短辺側６０１の側方には、図１２に示した外壁板６０が突き付け接合され、留め付け金具７０は該突き付け接合部における双方の外壁板（外壁板６０と出隅外壁板６００の短辺側６０１）を留め付けている。
【０００５】
【特許文献１】特開２０００−４５４８５号公報
【発明の開示】
【発明が解決しようとする課題】
【０００６】
図１２に示したような重厚感を出すために厚みを厚くした外壁板は薄手の外壁板と比較して重量物であり、そのために、留め付け金具にも大きな強度が求められる。また、施工外壁面をできるだけ前方へ飛び出ないようにして、室内の有効容積を大きくするために、厚みの薄い留め付け金具も求められる。さらに、比較的少ない材料で作ることができれば、コストの低減にもつながり好ましい。そのような観点からみると、重く厚みの厚い外壁板のための留め付け金具としては、従来の留め付け金具はまだ改良すべき点がある。
【０００７】
本発明は上記のような事情に鑑みてなされたものであり、全体としての厚さが薄いものでありながら大きな強度を持ち、それにより、側縁に係止溝が形成される重量の大きな外壁板であっても、安定して建物壁面に留め付けることのできる留め付け金具を提供することを目的とする。
【０００８】
また、本発明は、上記の留め付け金具を用いた新規な外壁施工構造を提供することを目的とする。
【課題を解決するための手段】
【０００９】
本発明による留め付け金具は、側縁に係止溝が形成される外壁板を建物側に留め付けるための留め付け金具であって、該留め付け金具は、建物側への固定部である基板部と、基板部の上縁側とそこに続く中央領域を除いた領域をプレス加工により基板部と平行な面となるように前方側へ押し出して形成した上外壁板の裏面当接面として機能する押し出し面と、押し出し面の下端を水平方向に折り曲げて形成した受け部と、受け部の先端に上方および下方の折り曲げ加工して形成した外壁板の係止溝に係合する上係止片および下係止片と、押し出し面の一部を切り欠いて下方に折り曲げて形成した下外壁板の裏面当接板とを有しており、下外壁板の裏面当接板は上外壁板の裏面当接面である押し出し面と実質的に面一となるようにされており、さらに、基板部の押し出し面とされない領域にビス孔と補強リブが形成されていることを特徴とする。
【００１０】
上記の留め付け金具では、基板部とプレス加工で形成される押し出し面との境界領域は補強リブとして機能するので、全体の曲げに対する強度が大きくなる。２ｍｍ程度の押し出し距離で十分な強度を得ることができ、全体として厚みの薄い留め付け金具が得られる。基板部の押し出し面とされない領域には補強リブが形成されており、それによっても強度は大きくなる。さらに、基板部の押し出し面とされない領域の裏面は建物側へぴったりと接することができ、かつその領域に形成されたビス孔を利用してビス止めされるので、建物側に対する留め付け金具の固定は安定する。
【００１１】
押し出し面の下端を水平方向に折り曲げて受け部とし、その受け部の先端を上方および下方に折り曲げて外壁板の係止溝に係合する上係止片および下係止片とし、さらに、押し出し面の一部を切り欠いて下方に折り曲げ下外壁板の裏面当接板を形成するようにしており、矩形状の板材を無駄なく利用してかつ単純な折り曲げ加工で留め付け金具を作り出すことができる。
【００１２】
また、下外壁板の裏面当接板は上外壁板の裏面当接面である押し出し面と実質的に面一となるように曲げ加工されており、留め付けた上外壁板の表面と下外壁板の表面とは自動的に面一の面となって、安定した留め付け構造が得られる。
【００１３】
本発明による留め付け金具において、好ましくは、上係止片は受け部の左右両側に形成され、下係止片は受け部の中央部に形成される。さらに好ましくは、下係止片は中央部に切り込み部を有し、該切り込み部により左右に２分割されている。いずれの場合においても、好ましくは、下係止片の下端角部には裏面当接板に向けた折曲部が形成される。
【００１４】
下係止片を上記の構成とすることにより、留め付けようとする外壁板との間でがたつきのない一層安定した留め付け態様が得られる。特に、下係止片を中央部の切り込み部を介して左右に２分割した形態の留め付け金具の場合、左右に位置する外壁板の左右の突き付け接合部をまたがるようにして当該留め付け金具で係止する（又掛けする）ときに、留め付け金具に対する左右双方の外壁板の留め付け安定性は大きく向上する。下係止片の下端角部に裏面当接板に向けた折曲部を形成することにより、さらに安定した留め付けが得られる。
【００１５】
好ましい態様において、前記押し出し面の上外壁板の裏面当接面として機能する領域には前方に向けた切り起こし片が形成される。また、好ましい態様では、下外壁板係止部における下外壁板の裏面当接板には前方への膨出部が形成される。このような構成を備えることにより、留め付けられた外壁板は前方に向けて押し出されて留め付け金具の係止片と外壁板に形成した係止溝とがしっかりと係合するので、一層安定した留め付けが得られる。
【００１６】
本発明は、また、上記した留め付け金具を用いた外壁施工構造として、外壁板として側縁に係止溝が形成されているものを用い、その外壁板の複数枚が左右の側縁同士を突き付け接合して配置されており、上下に当接する外壁板同士は、建物側に固定された上記のいずれかの留め付け金具の上係止片と下係止片とがその上側縁と下側縁に形成された係止溝に係合することにより一体に留め付けられている留め付け構造を備えることを特徴とする外壁施工構造を開示する。
【００１７】
この外壁施工構造では、上記の構成を備えた留め付け金具を用いることにより重量のある外壁板であっても建物側にしっかりと留め付けることができ、安定した外壁施工構造となる。施工後の有効容積も大きくなる。出隅部や入隅部に同じような側縁に係止溝が形成されている出隅外壁板あるいは入隅材を用いる場合、該出隅外壁板あるいは入隅材も安定して建物側に留め付けることができ、また、それに隣接する外壁板との突き付け面の建物側への留め付けも安定したものとなる。
【００１８】
本発明による外壁施工構造の他の態様では、左右の側縁同士を突き付け接合して配置されている外壁板の当該左右の側縁が、そこに形成された係止溝に、上記の留め付け構造で使用される留め付け金具の姿勢とは９０度回転させた姿勢で建物側に固定された留め付け金具の上係止片と下係止片がそれぞれ係合することにより一体に留め付けられている留め付け構造をさらに備えることを特徴とする。
【００１９】
窓となるような壁面の開口部あるいは軒天部のような箇所では、壁面材の上縁部分あるいは下縁部分が施工の都合から切除される場合があり、その場合、上縁あるいは下縁に形成されている係止溝がなくなるので、上下方向に隣接する建築板相互の接続を留め付け金具で行うことができなくなる。そのような箇所に、上記した左右の側縁同士の突き付け接合部分を留め付け金具を用いて接合する留め付け構造を採用することによって、全体として安定した留め付け態様を備えた外壁施工構造を得ることができる。
【発明の効果】
【００２０】
本発明によれば、側縁に係止溝が形成される外壁板を、それが重量の大きい外壁板であっても、安定的に留め付けることができる厚みの薄い留め付け金具が得られる。また、その留め付け金具を用いることにより、出隅部、入隅部、一般部に加え、開口部や軒天部においても、安定した状態で外壁板が留め付けられた外壁施工構造が得られる。
【発明を実施するための最良の形態】
【００２１】
以下、図面を参照しながら本発明による留め付け金具とそれを用いた外壁施工構造を説明する。図１ａは本発明による留め付け金具の一例を示す斜視図であり、図１ｂは図１ａのｂ−ｂ線での断面図である。図２はその留め付け金具を用いて外壁板を建物側に留め付けた外壁施工構造の一例を示している。図３は図２の出隅部近傍であるＸ−Ｘ線による断面図であり、図４はその領域を斜視図として示している。図５は出隅部領域を上から見て示している。図６は図１に示す留め付け金具を時計方向に９０度回転させた状態を示している。図７は図２の開口部近辺であるＹ−Ｙ線に沿う断面図であり、図８はその領域を斜視図として示している。図９は入隅部領域を上から見て示している。
【００２２】
この例において、留め付け金具１０は、ステンレス鋼の成形品であり、建物側への固定部である基板部１１と、基板部１１の上縁側とそこに続く中央領域を除いた領域をプレス加工により基板部１１と平行な面となるように前方側へ押し出して形成された押し出し面１２を有する。押し出し面１２は平坦面であり、後記するように、図１２に示したような形状である、上方に留め付けようとする外壁板６０の裏面当接面として機能する。
【００２３】
押し出し面１２の下端は、水平方向に９０度に折り曲げられて、留め付ける外壁板の上縁および下縁の受け部１３となり、該受け部１３の先端側の左右両側は上方に折り曲げ加工されて２つの上係止片１４，１４を形成し、中央部は下方に折り曲げ加工されて下係止片１５を形成している。必須のものではないが、下係止片１５の下端角部は後記する裏面当接板１６に向けた折曲部１５Ｐが形成されている。後記するように、上係止片１４と下係止片１５は、留め付けようとする外壁板６０の周縁に形成した係止溝６１に係合する。
【００２４】
押し出し面１２の中央部であって前記受け部１３の上方領域は３辺が切り込まれて下方に折り曲げられ、下方に留め付けようとする外壁板６０のための裏面当接板１６を形成する。裏面当接板１６の前面側は押し出し面１２の前面と実質的に面一となるようにされており、裏面当接板１６の下端部１６ａはその裏面側が基板部１１の裏面と面一となるように後方に偏位している。また、裏面当接板１６の左右端には、前方への膨出部１７が形成されている。
【００２５】
基板部１１の押し出し面１２とされない領域の中央部には図では３個のビス孔１８が形成され、その間には縦方向に伸びる２本の補強リブ１９が形成されている。また、押し出し面１２の左右の領域には、前方に向けて切り起こし片２０が形成されている。なお、膨出部１７と切り起こし片２０は、外壁板６０の留め付けを安定させるものであるが、省略可能である。
【００２６】
上記の留め付け金具１０を用いて造られる外壁施工構造を、外壁板として図１２，図１３に示した形態の外壁板６０を用いる場合を例として、以下に説明する。図２は施工後の外壁構造を示しており、Ｃは出隅部を、Ｓは開口部を示している。図５は、出隅部Ｃの近傍を上から見て示しており、図１８に基づき説明したと同様、柱６８に縦胴縁６９が釘打ち固定され、それを利用して固定した下地材６６に、上記した留め付け金具１０がビス固定される。図２におけるＸ−Ｘ線の領域は、図５では矢印Ｐで示す領域であり、出隅部には、９０度に折り曲がった短辺側６０１と長辺側６０２とからなる出隅外壁板６００Ａが配置され、その短辺側６０１の側方に、外壁板６０Ａが突き付け接合されて配置されている。
【００２７】
出隅外壁板６００も、外壁板６０と同様に、周縁に係止溝６１を有しており、９０度に折曲した部分を有することを除いて、他の構成は外壁板６０と実質的に同じである。図示の関係で、図３と図４には、側方に突き付け接合している外壁板６０Ａが現れないが、図４において、上方に位置する出隅外壁板６００Ａ（本発明による上外壁板に相当）の図で右側には外壁板６０Ａ（本発明による上外壁板に相当）が位置しており、留め付け金具１０によって、外壁板６０Ａは左方の出隅外壁板６００Ａおよび下方の出隅外壁板６００Ｂ（本発明による下外壁板に相当）とともに、一体となって、建物側に留め付けられている。
【００２８】
留め付けに際し、留め付け金具１０を、その下係止片１５が下方に位置する出隅外壁板６００Ｂの上縁に形成した係止溝６１に係合するようにして下出隅外壁板６００Ｂの上縁に載せ、上に留め付ける出隅外壁板６００Ａの短辺側６０１の右側縁の位置が受け部１３の中央位置となるように位置決めした後、ビス孔１８にビス６７を通し、それを下地材６６にネジ込んで、留め付け金具１０を下地材６６に固定する。それにより下出隅外壁板６００Ｂは建物側にしっかりと留め付けられる。なお、図では、ビス６７として１本のみを示しているが、下地材６６のビス保持力が比較的低い場合には、２本あるいは３本のビス６７が用いられる。この例では、留め付け金具１０の下係止片１５は、裏面当接板１６に向けた折曲部１５Ｐを有しており、出隅外壁板６００Ｂの上縁に形成した係止溝６１との間でがたのない係合状態を確実に形成することができる。
【００２９】
出隅部Ｃに留め付けた下出隅外壁板６００Ｂの上に上出隅外壁板６００Ａを置き、その下縁に形成した係止溝６１に、下地材６６に固定した留め付け金具１０の左側の上係止片１４が入り込んだ状態とする。それにより、上出隅外壁板６００Ａは、出隅部Ｃに仮固定された状態となる。仮固定された上出隅外壁板６００Ａの右側方に外壁板６０Ａを、その下縁に形成した係止溝６１に、留め付け金具１０の右側の上係止片１４が入り込んだ状態として仮固定する。
【００３０】
上記のようにして仮固定した上出隅外壁板６００Ａと外壁板６０Ａの突き付け接合部の上側位置に、留め付け金具１０の下係止片１５が双方の外壁板の係止溝６１，６１に係合するようにして位置決めし、その留め付け金具１０をビス６７を用いて下地材６６に固定する。それにより、双方の外壁板の突き付け接合部はしっかりと建物側に固定される。同じ作業を、右側配置する外壁板６０Ａと上方に配置する出隅外壁板６００Ａに対して反復した行うことにより、出隅部から一般部にかけての外壁板６０（出隅外壁板６００）の留め付けは終了する。
【００３１】
次ぎに、留め付け金具１０を用いて、開口部Ｓの周辺に外壁板６０を留め付ける場合を説明する。窓のような壁面の開口部周辺では、施工現場での寸法の都合から、壁面材６０の上縁部分あるいは下縁部分が切除される場合がある。その場合、上縁あるいは下縁に形成されている係止溝６１がなくなるので、上記した方法により隣接する建築板同士の接続を行うことができなくなる。
【００３２】
図６〜図８は、図２でＹ−Ｙ線で示す領域、すなわち開口部Ｓの下側面側の領域での外壁板の留め付け構造を説明している。ここでは、左側の外壁板６０ａの右上部と、その右側に留め付ける外壁板６０ｂの上縁の全部と、さらにその右側に留め付ける外壁板６０ｃの左上部は、開口部Ｓの寸法との関係で裁断されており、係止溝６１がないことから、その部分を留め付けに利用することができない。そのために、当該外壁板の側縁同士の各突き付け接合部に、図６に示すように、上記した留め付け構造での姿勢から９０度時計方向に回転させた姿勢として留め付け金具１０を配置し、外壁板同士の安定した留め付け構造を得ている。
【００３３】
すなわち、既に留め付けられている左側の外壁板６０ａの右側縁の係止溝６１に、図６に示す縦姿勢とした留め付け金具１０の下係止片１５を係合させた姿勢とし、それを左方向に押し付けながら、留め付け金具１０をビス６７を用いて下地材６６に固定する。次に、固定した留め付け金具１０の上係止片１４，１４に、右側に留め付ける外壁板６０ｂの左側縁の係止溝６１を係合させて仮留めしておき、該外壁板６０ｂの右側縁の係止溝６１に縦姿勢とした留め付け金具１０の下係止片１５を係合させ、左方向に押し付けながら、当該留め付け金具１０をビス６７を用いて下地材６６に固定する。それにより、外壁板６０ｂもしっかりと建物側に留め付けられる。該留め付け金具１０を利用してその右側に外壁板６０ｃを仮留めし、以下、図３および図４に示した留め付け構造を適用して、順次、外壁板６０を留め付けていく。この留め付け構造を併用することにより、図示のように壁面に開口部Ｓがある場合でも、また図示しないが軒天に沿った箇所（ここでも、寸法の都合で留め付けようとする外壁板の上縁は切除されることが多い）がある場合でも、出隅部を含めて全体として外壁板を安定して壁面に留め付けることが可能となる。
【００３４】
図９は、入隅部での外壁板の留め付け態様を上から見て示している。この場合には、図１２に示した外壁板６０の一方の側縁を４５度にカットして接合した形態の入隅外壁板６０Ｉが用いられる。この場合にも、本発明による留め付け金具１０を用いることにより、双方の入隅外壁板６０Ｉ、６０Ｉを安定にかつ室内側の有効容積を狭めることなく、建物側へ留め付けることが可能となる。なお、図９において、上記のものと同じ機能を奏する部材には同じ符号を付し、説明は省略する。
【００３５】
図１０は、本発明による留め付け金具の他の例を示しており、この留め付け金具１０Ａは、下係止片１５の形状が、図１に示した留め付け金具１０と異なっている。他の構成は図１に示した留め付け金具１０のものと同じであり、同じ機能を奏する部材には同じ符号を付し、説明は省略する。
【００３６】
留め付け金具１０Ａにおいて、下係止片１５は、中央部に切り込み部１５Ｃを有し、その切り込み１５Ｃにより、左右２つ下係止片１５Ａ，１５Ｂに分割されている。必須のものではないが、図示のものでは、各下係止片１５Ａ，１５Ｂの下端角部には、裏面当接板１６に向けた折曲部１５Ｐがそれぞれ形成されている。また、図示のものでは、切り込み１５Ｃは下係止片１５の中央をとおり、受け部１３の奥行き方向のほぼ中央にまで達しているが、下係止片１５の部分にのみ形成されていてもよい。
【００３７】
上記留め付け金具１０Ａを用いて外壁板を建物側に留め付けるときの使用態様は、図１に示した留め付け金具１０の場合と同じである。その使用態様の一例を、出隅部Ｃの近傍の外壁施工構造を上から見て示す図１１を用いて説明する。なお、図１１は前記図５に相当するものであり、留め付け金具１０に代えて留め付け金具１０Ａが用いられている点を除き、他の構成は図５に示したものと同じである。従って、ここでも、図５に示した部材と同じ機能を奏する部材には同じ符号を付し、説明は省略する。
【００３８】
図１１に示す例において、図の左側部分では、上出隅外壁板６００Ａの短辺側６０１と外壁板６０Ａとの突き付け接合部の上側位置に、前記留め付け金具１０Ａの下係止片１５、すなわち左右の下係止片１５Ａと１５Ｂが、一方の下係止片１５Ａは外壁板６０Ａの係止溝６１に係合し、他方の下係止片１５Ｂは上出隅外壁板６００Ａの短辺側６０１の係止溝６１に係合するようにして位置決めされている。そして、その留め付け金具１０Ａがビス６７により下地材６６に固定されている。このように、左右に突き付け接合する２枚の外壁板（ここでは、６０Ａと短辺側６０１）の対向する側縁の各角部が、切り込み部１５Ｃで分離している左右の下係止片１５Ａと１５Ｂによって、それぞれ支持されるので、突き付け接合部での留め付け態様はきわめて安定したものとなる。さらに、図示の例では、それぞれの下係止片１５Ａと１５Ｂが下端角部に折曲部１５Ｐを有しており、留め付け態様は一層安定する。
【００３９】
図示しないが、上記形態の留め付け金具１０Ａは、出隅外壁板６００と外壁板６０との接合部のみでなく、外壁板６０同士の留め付け一般部に用いてもよい。また、９０度回転させた姿勢として、図７や図８に示したような開口部周りでの外壁板の対向する側縁同士の接合（留め付け）にも用いることができる。さらに、同じ施工現場で、図１に示す形態の留め付け金具１０と、図１０に示す形態の留め付け金具１０Ａの双方を用いて、外壁施工構造を構築するようにしてもよい。
【図面の簡単な説明】
【００４０】
【図１】図１ａは本発明による留め付け金具の一例を示す斜視図であり、図１ｂは図１ａのｂ−ｂ線での断面図。
【図２】図１に示す留め付け金具を用いて外壁板を建物側に留め付けた外壁施工構造の一例を示す図。
【図３】図２の出隅部近傍であるＸ−Ｘ線による断面図。
【図４】図３の領域を斜視図として示す図。
【図５】図２に示す外壁施工構造の出隅部領域を上から見て示す図。
【図６】図１に示す留め付け金具を時計方向に９０度回転させた状態で示す図。
【図７】図２の開口部近辺であるＹ−Ｙ線に沿う断面図。
【図８】図７の領域を斜視図として示す図。
【図９】入隅部領域を上から見て示す図。
【図１０】図１０ａは本発明による留め付け金具の他の例を示す斜視図であり、図１０ｂは図１０ａのｂ−ｂ線での断面図。
【図１１】図１０に示す留め付け金具を用いた外壁施工構造の一例として、出隅部領域を上から見た状態を示しており、図５に相当している。
【図１２】側縁に係止溝が形成される外壁板の一例を示す正面図（図１２ａ）と背面図（図１２ｂ）。
【図１３】図１２ａのｂ−ｂ線による断面図。
【図１４】従来の留め付け金具の一例を示す斜視図。
【図１５】従来の留め付け金具を用いて施工された外壁施工構造を説明する図。
【図１６】図１５に示す外壁施工構造における留め付け部を示す斜視図。
【図１７】図１６に示す留め付け部の側方断面図。
【図１８】出隅部での出隅外壁板などの留め付け状態を説明する図。
【符号の説明】
【００４１】
６０…外壁板、６００…出隅外壁板、６０Ｉ…入隅外壁板、６１…係止溝、６２…凹陥部、１０，１０Ａ…留め付け金具、１１…基板、１２…押し出し面、１３…受け部、１４…上係止片、１５、１５Ａ、１５Ｂ…下係止片、１５Ｃ…下係止片に形成した切り込み部、１５Ｐ…下係止片に形成した折曲部、１６…裏面当接板、１８…ビス孔、１９…補強リブ、Ｃ…出隅部、Ｓ…開口部
【図１】
2006307419.tif 000003
【図２】
2006307419.tif 000004
【図３】
2006307419.tif 000005
【図４】
2006307419.tif 000006
【図５】
2006307419.tif 000007
【図６】
2006307419.tif 000008
【図７】
2006307419.tif 000009
【図８】
2006307419.tif 000010
【図９】
2006307419.tif 000011
【図１０】
2006307419.tif 000012
【図１１】
2006307419.tif 000013
【図１２】
2006307419.tif 000014
【図１３】
2006307419.tif 000015
【図１４】
2006307419.tif 000016
【図１５】
2006307419.tif 000017
【図１６】
2006307419.tif 000018
【図１７】
2006307419.tif 000019
【図１８】
2006307419.tif 000020